(57)【特許請求の範囲】
【請求項１】
建物の既設の外装を補修する方法であって、
タイル貼りの外壁または石材を貼設した外壁の外装表面全体を酸性フッ化アンモン外壁洗浄剤で洗浄し、中和処理した後、リトマス紙を外壁に当接して中和されたか否かをｐＨ確認し、水洗いして洗浄した後、ヒビ割れした箇所をパテ埋めし、パテ埋めしたヒビ割れの箇所と既存箇所との色あわせの塗装を行なった後、外装表面全体にシリル基と、有機官能基とを有するシランカップリング剤からなるコーティング剤であって、メタクリル−アクリル型アルコキシシラン変性ランダム重合体と、アルコキシシラン系硬化剤とを揮発性溶剤中で混合して常温乾燥させて用いるようになされた２液溶剤混合型のものを塗布してシロキサン結合を有する硬化皮膜を形成することを特徴とする建物の外装補修方法。
【請求項２】
建物の既設の外装を補修する方法であって、
鋼板を貼設した外壁の外装表面全体を酸性フッ化アンモン外壁洗浄剤で洗浄し、中和処理した後、リトマス紙を外壁に当接して中和されたか否かをｐＨ確認し、水洗いして洗浄した後、汚れた箇所を研磨して汚れを落とし、研磨箇所と既存箇所との色あわせの塗装を行なった後、外装表面全体にシリル基と、有機官能基とを有するシランカップリング剤からなるコーティング剤であって、メタクリル−アクリル型アルコキシシラン変性ランダム重合体と、アルコキシシラン系硬化剤とを揮発性溶剤中で混合して常温乾燥させて用いるようになされた２液溶剤混合型のものを塗布してシロキサン結合を有する硬化皮膜を形成することを特徴とする建物の外装補修方法。
【請求項３】
請求項２記載の建物の外装補修方法において、外壁がコンクリート打ちっぱなしの外壁となされ、色あわせの塗装を行なう塗料と、コーティング剤とを混合して外装表面全体に１工程で色あわせの塗装と硬化皮膜の形成とを行なう建物の外装補修方法。
【発明の詳細な説明】
【技術分野】
【０００１】
本発明は、経年劣化した建物の外装を補修する方法に関するものである。
【背景技術】
【０００２】
一般に、ビルなどの建物の外装は、タイル、石材、コンクリート打ちっぱなし、鋼板などの各種素材で構成されている。
【０００３】
これらの建物は、建築して新しい場合でも、外装に何かが当たるなどの局部的な応力が加わった際に、外装の一部が割れたり、欠けたりすることがあり、また汚れたりすることもある。このような場合に、割れや欠けを補修する専用の接着剤やセメントモルタルなどを用いて、これら外装を補修したりすることが行なわれている。また、汚れを落とす専用の洗浄剤で外装を洗浄したり、汚れが落ちないような場合には、その上からさらに塗装を重ねて汚れを消すことが行なわれている。
【０００４】
しかし、このような新しい外装を補修する場合と異なり、建物が経年劣化して外装全体が老朽化してきたような場合、タイル、石材の場合にはヒビ割れを生じることとなり、コンクリート打ちっぱなしの場合は表面がカビなどで黒ずんだりすることとなり、鋼板の場合は腐食することとなり、何れの場合も外観は非常に悪化してしまう。
【０００５】
そこで従来より、このように経年劣化した建物の外装は、全面補修することが行なわれていた。
【０００６】
タイルや石材の外装の場合は、一部の外装がヒビ割れしているような状態であっても、全てのタイルや石材を剥がし取っていた。そして、新たなタイルや石材を貼りなおして補修していた。すなわち、一部の外装がヒビ割れているような場合であっても、長年が経過していると、ヒビ割れていない他のタイルと同じタイルを入手できないことが多いので、同じように仕上げることができない。また、外観上はヒビ割れていないとしても、酸性雨、排気ガス、紫外線などの影響で表面の劣化が生じており、耐用年数が経過して老朽化しているので、補修完了後、この取替え無かった古い外装の部分からヒビ割れなどの劣化を生じることが懸念されるからである。
【０００７】
コンクリート打ちっぱなしの外装の場合は、表面の黒ずみが無くなるまで表面を研磨した後、モルタル樹脂塗料などを塗布してコンクリート打ちっぱなしの風合いを再現して補修していた。
【０００８】
鋼板の外装の場合は、上記タイルや石材の外装の場合と同様に、全ての鋼板を取り外した後、新たな鋼板を貼りなおして補修したり、上記コンクリート打ちっぱなしの外装と同様に、表面を研磨した後、バフ掛けや塗装などで表面を整えて補修していた。
【発明の開示】
【発明が解決しようとする課題】
【０００９】
しかし、上記従来の補修方法の場合、次のような不都合を生じることとなる。
【００１０】
すなわち、タイルや石材、鋼板などの外装のように、外装を完全に取り替えて補修する場合、取り外した外装が大量の産業廃棄物として発生することになる。このような大量の産業廃棄物は、近年の自然環境改善への取り組みなどから、簡単に廃棄することができなくなっており、廃棄するために膨大な費用が嵩むことになってしまう。したがって、膨大な補修コストが嵩むといった不都合を生じることとなる。
【００１１】
そのため、ヒビ割れしたり腐食したりしている部分だけを補修して他の部分はそのまま利用するといったことも考えらるが、経年劣化による補修の場合、物理的に壊れて補修する場合と違って、ヒビ割れていない他の部分も物理的に壊れていないだけで、表面は相当劣化しているので、近いうちにヒビ割れを生じる可能性が高く、すぐに外観が悪化してしまうこととなる。特に、身近にある家庭用品のような小さなものであればこのような補修を頻繁に行なっても良いが、建物の外装となると、足場を組んだりして作業が大掛かりになるので、このような補修を頻繁にすることはできない。
【００１２】
また、コンクリート打ちっぱなしの外装のように、表面を研磨した後、モルタル樹脂塗料などを塗布してコンクリート打ちっぱなしの風合いを再現した場合、コンクリートの素地自体の色が白っぽいので、汚れが目立ち易くなる。
【００１３】
本発明は係る実情に鑑みてなされたものであって、環境に優しく、低コストで補修することができ、しかも優れた耐久性が得られる建物の外装補修方法を提供することを目的としている。
【課題を解決するための手段】
【００１４】
上記課題を解決するための本発明の建物の外装補修方法は、建物の既設の外装を補修する方法であって、タイル貼りの外壁または石材を貼設した外壁の外装表面全体を酸性フッ化アンモン外壁洗浄剤で洗浄し、中和処理した後、リトマス紙を外壁に当接して中和されたか否かをｐＨ確認し、水洗いして洗浄した後、ヒビ割れした箇所をパテ埋めし、パテ埋めしたヒビ割れの箇所と既存箇所との色あわせの塗装を行なった後、外装表面全体にシリル基と、有機官能基とを有するシランカップリング剤からなるコーティング剤であって、メタクリル−アクリル型アルコキシシラン変性ランダム重合体と、アルコキシシラン系硬化剤とを揮発性溶剤中で混合して常温乾燥させて用いるようになされた２液溶剤混合型のものを塗布してシロキサン結合を有する硬化皮膜を形成するものである。
【００１５】
また、上記課題を解決するための本発明の建物の外装補修方法は、建物の既設の外装を補修する方法であって、鋼板を貼設した外壁の外装表面全体を酸性フッ化アンモン外壁洗浄剤で洗浄し、中和処理した後、リトマス紙を外壁に当接して中和されたか否かをｐＨ確認し、水洗いして洗浄した後、汚れた箇所を研磨して汚れを落とし、研磨箇所と既存箇所との色あわせの塗装を行なった後、外装表面全体にシリル基と、有機官能基とを有するシランカップリング剤からなるコーティング剤であって、メタクリル−アクリル型アルコキシシラン変性ランダム重合体と、アルコキシシラン系硬化剤とを揮発性溶剤中で混合して常温乾燥させて用いるようになされた２液溶剤混合型のものを塗布してシロキサン結合を有する硬化皮膜を形成するものである。
【００１６】
さらに、上記課題を解決するための本発明の建物の外装補修方法は、上記建物の外装補修方法において、外壁がコンクリート打ちっぱなしの外壁となされ、色あわせの塗装を行なう塗料と、コーティング剤とを混合して外装表面全体に１工程で色あわせの塗装と硬化皮膜の形成とを行なうものである。
【発明の効果】
【００１７】
以上述べたように、請求項１および２記載の発明によると、タイル、石材、鋼板などを貼設した外壁で構成された既設の外装を取り外すことなく補修することができるので、タイル、石材、鋼板などの産業廃棄物の発生を無くし、自然環境に優しい補修を行うことができる。
【００１８】
また、産業廃棄物が発生しなくなるので、処理経費を削減して低コストで補修することができる。
【００１９】
さらに、補修した外装表面全体には、シロキサン結合を有する硬化皮膜を形成することができるので、経年劣化した外装であっても、優れた表面硬度により、新築の外装以上に優れた耐久性を得ることができる。
【発明を実施するための最良の形態】
【００２０】
以下、本発明の実施の形態を図面を参照して説明する。
【００２１】
図１は経年劣化した建物１の外壁２を補修する前後を示し、図２ないし図６は同建物１における外壁２の補修工程を示している。
【００２２】
すなわち、この建物１の外壁２の補修方法は、外壁２の表面全体を洗浄した後、タイル２１のヒビ割れ２２の箇所をパテ３で埋め、パテ３を埋めたヒビ割れ２２の箇所と既存のタイル２１の箇所との色あわせの塗装４を行なった後、外壁２の表面全体にシリコン含有化合物およびアクリル系共重合体を含有するコーティング剤を塗布してシロキサン結合を有する硬化皮膜５を形成するものである。
【００２３】
外壁２の表面全体の洗浄では、図２および図３に示すように、表面全体の汚れを落とすとともに、ヒビ割れ２２の箇所に詰まった汚れＡを取り除く。この洗浄は、洗浄剤を使っても良いし、水洗いだけであっても良い。また、洗浄方法は、ブラシやスポンジで行なうものであってもよいし、水や洗浄剤の水溶液を外壁２に高圧で吹き付ける高圧洗浄を行なうものであってもよい。
【００２４】
洗浄剤を用いる場合、洗浄剤としてはこの種の外壁２の洗浄に用いているものであれば、特に限定されるものではなく、例えば、酸性フッ化アンモン外壁洗浄剤（弘栄貿易株式会社製  クリンストン）などを好適に用いることができる。このような外壁洗浄剤を用いて洗浄した場合、外壁２の表面を中和処理した後、水洗いして洗浄を完了する。中和処理後は、リトマス紙を外壁２に当接して中和されたか否かｐＨを確認する。
【００２５】
ヒビ割れ２２の箇所をパテ３で埋める作業では、図４に示すように、上記洗浄作業で汚れが取れた外壁２のヒビ割れ２２の箇所にパテ３を埋める。この場合、パテ３で埋める作業は、２回に分けて行なう。すなわち、まず、最初にヒビ割れ２２の内部にパテ３を充填する。この場合、パテ３は、ヒビ割れ２２の箇所にしっかりと充填し、充填忘れが無いことを確認できるように外壁２と異なった色に着色したパテ３を充填して乾燥させる。次に、このパテ３の上から外壁２に類似した色のパテ３を充填し、乾燥後、表面を研磨して外壁２の表面と面一に仕上げる。
【００２６】
この際、使用するパテ３としては、この種の外壁３のヒビ割れ２２に用いているものであれば、特に限定されるものではなく、例えば、ポリエステル系２液型目詰め接着剤（アケミ社製  アケミマーブルフィラー１０００）などを好適に用いることができる。
【００２７】
このようにしてヒビ割れ２２の箇所にパテ３を充填した後、外壁２に色あわせの塗装４を行なう。この色あわせの塗装４では、パテ３を埋めたヒビ割れ２２の箇所と既存のタイル２１の箇所との色が同じになるように塗装４を行なう。まず、プライマーの塗装４を行なって乾燥させてから、色あわせの塗装４を行なう。この際、塗布作業は、スプレー塗りであってもよいし、刷毛塗りであってもよいし、ローラーで塗布するものであってもよし、特に限定されるものではない。ただし、本実施の形態のように、タイル２１が貼設された外壁２の場合、図５に示すように、タイル２１の部分だけに塗装４を行なうので、スプレー塗りの場合、目地にマスキングをして行なわなければならない。刷毛塗りやローラーの場合は、目地が凹設されているので、そのままタイル２１だけに塗ることができる。
【００２８】
なお、目地については、凹設されているぶんタイル２１の表面のように目立たないので、ヒビ割れが生じた箇所にパテ３を充填するだけで済ませてもよいし、プライマーの塗装４のみをタイル２１の部分と一緒に行なってもよい。
【００２９】
また、これらの塗装４は、外壁２の全体に行なうものであってもよいし、ヒビ割れ２２の補修をした箇所だけ部分的に行なうものであってもよい。ただし、相当年数経過している外壁２の場合には、この塗装４によっても外壁２の保護が行なえるので、耐候性を考慮した場合、外壁２の全体に行なうことが好ましい。この塗装４に用いる塗料としては、常温乾燥で使用できて優れた性能を発揮することができるものであれば、特に限定されるものではなく、例えばポリウレタン樹脂塗料（久保孝ペイント株式会社製  ポリオート）、下塗材（日本ペイント社製  ニッペＡＣ透明シーラー）などを用いることができる。
【００３０】
コーティング剤の塗布は、上記塗装４が完了した外壁２の表面全体に行なう。この際、塗布作業は、スプレー塗りであっても良いし、刷毛塗りであってもよいし、ローラーで塗布するものであってもよし、特に限定されるものではない。
【００３１】
この塗布に用いるコーティング剤としては、シリル基と、有機官能基とを有するシランカップリング剤からなり、硬化後にシロキサン結合を有する硬化皮膜５を形成することができるものが使用される。具体的には、低温形セラミックコート剤（株式会社環境テクノ社製  セラミックタフ）などのように、メタクリル−アクリル型アルコキシシラン変性ランダム重合体と、アルコキシシラン系硬化剤とを揮発性溶剤中で混合して常温乾燥させて用いるようになされた２液溶剤混合型のものを使用することが好ましい。このようなコーティング剤の塗布によって、外壁２の表面全体に、シロキサン結合を有する硬化皮膜５を形成する。
【００３２】
このようにして補修した外壁２は、タイル２１のヒビ割れ２２がパテ３によって補修されるとともに、全体的に劣化したタイル２１は、表面に形成される塗装４と硬化皮膜５とによって新品のタイル２１並みの耐久性が得られることとなる。特に、建物１の補修の場合、物自体が大きいので、表面の塗装４の後は、硬化炉に入れて焼き付けるといったことが出来ず、自然乾燥させるしか出来なかったが、シロキサン結合を有する硬化皮膜５は、自然乾燥でも無機質の石英ガラス並みの硬度があり、新品のタイル２１以上に優れた表面硬度となるため、硬化皮膜５単独でも優れた耐久性が得られることとなる。また、外壁２の表面全体を塗装４してから硬化皮膜５を形成した場合には、この硬化皮膜５と塗装４による２重の皮膜の保護により、よりいっそう優れた耐久性が得られることとなる。
【００３３】
また、この補修方法では、既設の外壁２を取り外すことなく補修することができるので、産業廃棄物の発生を無くし、自然環境に優しい補修を行なうことができる。また、産業廃棄物が発生しなくなるので、処理経費を削減して低コストで補修することができる。
【００３４】
なお、本実施の形態において、外装としてタイル２１貼りの外壁２を示しているが、特にこのようなタイル２１貼りの外壁２に限定されるものではなく、大理石などの石材を貼設した外壁であってもよいし、鋼板を貼設した外壁であってもよい。また、コンクリート打ちっぱなしの外壁であってもよい。
【００３５】
石材を貼設した外壁の場合は、上記したタイル２１貼りの外壁２の場合と同様の作業工程で補修することができる。
【００３６】
鋼板を貼設した外壁の場合とコンクリート打ちっぱなしの外壁の場合は、上記したタイル２１貼りの外壁２の場合と多少工程が異なるのでその相違点についてのみ説明する。
【００３７】
鋼板を貼設した外壁の場合は、表面を研磨して腐食箇所を除去した後、バフ掛けや塗装などで表面を整える。その後、外壁の表面全体にコーティング剤を塗布してシロキサン結合を有する硬化皮膜５を形成する。
【００３８】
この場合、腐食箇所を除去した後、塗装などで表面を整えたとしても、金属の質感を損なわない程度の塗装に止め、厚塗りすることはできない。また、バフ掛けの場合、金属の質感は損なわないが、素材がむき出しになってしまう。しかし、この補修方法によって、最後に、外壁の表面全体にコーティング剤を塗布してシロキサン結合を有する硬化皮膜５を形成するので、厚塗りしなかったり、素材がむき出しの場合であっても、耐久性に優れた補修を行なうことができる。
【００３９】
コンクリート打ちっぱなしの外壁の場合は、表面の洗浄や研磨によって汚れた箇所を除去した後、素材感を損なわない程度に塗装を行なって表面を整える。その後、外壁の表面全体にコーティング剤を塗布してシロキサン結合を有する硬化皮膜５を形成する。
【００４０】
この場合も、上記した鋼板を貼設した外壁の場合と同様に、コンクリートの素材感を損なわない程度にしか塗装を行なうことができないが、外壁の表面全体に形成したシロキサン結合を有する硬化皮膜５によって、コンクリートの素材感を残したまま耐久性に優れた補修を行なうことができる。
【００４１】
また、コンクリート打ちっぱなしの外壁のように、外壁全体が１色の場合、色あわせの塗装を行なう塗料と、コーティング剤とを混合し、外装表面全体に１工程で色あわせの塗装と硬化皮膜の形成とを行なうこともできる。
【産業上の利用可能性】
【００４３】
既設の建物の外装補修に利用できる。
【図面の簡単な説明】
【００４４】
【図１】（ａ）は補修前の建物の全体の概略図およびその部分拡大図、（ｂ）は補修後の建物の全体の概略図である。
【図２】（ａ）は補修前の外壁の部分拡大平面図、（ｂ）は同図におけるII−II線断面図である。
【図３】（ａ）は本発明に係る補修方法において外壁を洗浄した後の外壁の部分拡大平面図、（ｂ）は同図におけるIII−III線断面図である。
【図４】（ａ）は本発明に係る補修方法において外壁にパテ埋めをした後の外壁の部分拡大平面図、（ｂ）は同図におけるIV−IV線断面図である。
【図５】（ａ）は本発明に係る補修方法において外壁に塗装をした後の外壁の部分拡大平面図、（ｂ）は同図におけるＶ−Ｖ線断面図である。
【図６】（ａ）は本発明に係る補修方法において補修完了した後の外壁の部分拡大平面図、（ｂ）は同図におけるVI−VI線断面図である。
【符号の説明】
【００４５】
１  建物
２  外壁（外装）
２２  ヒビ割れ
３  パテ
４  塗装
５  硬化皮膜
【図１】
0004686384.tif 000002
【図２】
0004686384.tif 000003
【図３】
0004686384.tif 000004
【図４】
0004686384.tif 000005
【図５】
0004686384.tif 000006
【図６】
0004686384.tif 000007